(57)【要約】【課題】表皮にシワが発生することを抑止できるヘッドレストを提供する。【解決手段】ヘッドレスト１０を構成する表皮１３のうち、底部表皮材１３ａ，１３ｂには凹状に湾曲した湾曲部１９が構成されている。底部表皮材１３ａ，１３ｂには、湾曲部１９の湾曲によって表皮１３のシワの原因となる圧縮力を受ける部分において縫い目２１が形成されている。このため、圧縮部において従来技術では発生するシワが縫い目２１により吸収され、シワの発生が抑止される。【選択図】      図１
2005007070.tif 000002
【特許請求の範囲】
【請求項１】
表皮内に発泡合成樹脂が充填されてヘッドレスト本体が構成されているとともに、前記表皮に凹状の湾曲部が形成されているヘッドレストにおいて、
前記表皮の湾曲部には、その湾曲によって同表皮に圧縮力が作用する部分において縫い目が形成されていることを特徴とするヘッドレスト。
【請求項２】
前記縫い目は、前記湾曲部の底部に沿って形成されていることを特徴とする請求項１に記載のヘッドレスト。
【請求項３】
前記縫い目は、前記ヘッドレスト本体の幅方向における両端部に形成されていることを特徴とする請求項１又は請求項２に記載のヘッドレスト。
【請求項４】
前記縫い目は、前記発泡合成樹脂が注入される開口部を挟んで両側に形成されていることを特徴とする請求項１〜請求項３のいずれか一項に記載のヘッドレスト。
【請求項５】
前記縫い目は、前記表皮の一端から他端まで連続して形成されていることを特徴とする請求項１〜請求項４のいずれか一項に記載のヘッドレスト。
【請求項６】
前記表皮の裏面における前記縫い目の部分には、前記発泡合成樹脂が前記ヘッドレスト本体の表面側へ漏れ出すことを防止するための封止処理が施されていることを特徴とする請求項１〜請求項５のいずれか一項に記載のヘッドレスト。
【発明の詳細な説明】
【０００１】
【発明の属する技術分野】
本発明は、自動車の座席等に取り付けられるヘッドレストに関するものである。
【０００２】
【従来の技術】
従来、この種のヘッドレストとしては、図６に示すように、底部３１が凹状に湾曲したヘッドレスト３０がある。このヘッドレスト３０では、湾曲部３２における湾曲の底部近辺において表皮３３にシワ３４が発生し易いという問題があった。これは、表皮３３に厚みがあることに起因して、湾曲により表皮３３の表面側と裏面側とで曲率が異なり、表皮３３の表面側に圧縮力が作用するためである。さらに、表皮３３は、表面に露出するファブリック等で構成される表皮層と、ウレタンフォーム等で構成される中間層と、注入される発泡合成樹脂の浸透を防ぐフィルム層等が積層された複数層で構成されていることが多い。この場合、裏面側にある中間層、フィルム層が表皮層よりも伸縮性に乏しいため、表皮層にさらに大きな圧縮力が作用してシワの発生に一層拍車をかけることになっていた。
【０００３】
そして、シワが発生した状態の表皮３３に発泡合成樹脂が注入されたとしても、同図に示すように依然として表皮３３にシワ３４が残存してしまい、ヘッドレスト３０の外観を損ね、商品価値を低下させていた。
【０００４】
このため、シワの発生を抑止する方法として、湾曲部の底部近辺においてその表皮の一部をつまむようにして裏面側で折り畳み、その折り畳み部を縫製するものが提案されている（例えば、特許文献１参照）。これにより、表皮に引っ張り作用が働き、シワの発生が抑止される。
【０００５】
【特許文献１】
特開２０００−１６６７０８号公報（明細書の段落［０００７］〜［００１５］、第１，３，４図）
【０００６】
【発明が解決しようとする課題】
ところが、特許文献１に開示された表皮を用いても、表皮の表面側における圧縮がなくなるわけではないため、シワを確実に消滅させるのは難しい。しかも、折り畳み部が形成された表皮材（底部表皮材）は、ヘッドレストの側部を構成する表皮材（側部表皮材）等と縫製により一体化されており、側部表皮材等により拘束されている。このため、底部表皮材のみを引っ張ってその張力を変えると、側部表皮材等との縫い付け部において、予期しないところや予期しない形状のシワが新たに発生する。また、ヘッドレスト全体の形がくずれる恐れがあった。この対策として、表皮層に伸縮性の良い素材を使用することが考えられるが、このような素材は高価であり、それでもシワの発生を抑止するには限界があった。
【０００７】
本発明は、上記問題点に着目してなされたものであって、その目的は、表皮材にシワが発生することを抑止できるヘッドレストを提供することにある。
【０００８】
【課題を解決するための手段】
上記問題点を解決するために、請求項１に記載の発明は、表皮内に発泡合成樹脂が充填されてヘッドレスト本体が構成されているとともに、前記表皮に凹状の湾曲部が形成されているヘッドレストにおいて、前記表皮の湾曲部には、その湾曲によって同表皮に圧縮力が作用する部分において縫い目が形成されていることを要旨とする。
【０００９】
この発明によれば、表皮層に作用する圧縮力は縫い目の部分に集中する。このため、縫い目によりシワが吸収され、シワの発生が抑止される。従って、ヘッドレストの商品価値の低下を防ぐことができる。また、表皮の張力が部分的に変動するものではないため、予期せぬところにシワが生じたり、ヘッドレストの形がくずれたりする恐れがない。
【００１０】
請求項２に記載の発明は、請求項１に記載のヘッドレストにおいて、前記縫い目は、前記湾曲部の底部に沿って形成されていることを要旨とする。
この発明によれば、仮に縫い目がないとした場合、圧縮力が作用する部分に発生するシワは湾曲部の底部に沿うようにして発生する。このため、底部の方向に沿って縫い目が形成されることで、より効果的にシワが吸収され、シワの発生が抑止される。
【００１１】
請求項３に記載の発明は、請求項１又は請求項２に記載のヘッドレストにおいて、前記縫い目は、前記ヘッドレスト本体の幅方向における両端部に形成されていることを要旨とする。
【００１２】
この発明によれば、ヘッドレスト本体の両端部において縫い目が形成されることで、両端部に発生するシワを効果的に吸収することができる。ちなみに、湾曲部の中央には発泡合成樹脂を注入するための開口部があるため、両端部に比べてシワが発生しにくい。
【００１３】
請求項４に記載の発明は、請求項１〜請求項３のいずれか一項に記載のヘッドレストにおいて、前記縫い目は、前記発泡合成樹脂が注入される開口部を挟んで両側に形成されていることを要旨とする。
【００１４】
この発明によれば、開口部を挟んでその両側に縫い目が形成されることで、開口部の両側に発生するシワを吸収することができる。
請求項５に記載の発明は、請求項１〜請求項４のいずれか一項に記載のヘッドレストにおいて、前記縫い目は、前記表皮の一端から他端まで連続して形成されていることを要旨とする。
【００１５】
この発明によれば、一端から他端まで一縫いで縫い目を形成することができ、縫い目の形成が容易になるとともに、シワの発生を有効に抑止できる。
請求項６に記載の発明は、請求項１〜請求項５のいずれか一項に記載のヘッドレストにおいて、前記表皮の裏面における前記縫い目の部分には、前記発泡合成樹脂が前記ヘッドレスト本体の表面側へ漏れ出すのを防止するための封止処理が施されていることを要旨とする。
【００１６】
この発明によれば、封止処理として例えば縫い目の裏面をコーティングしたり、テープを貼り付ける等により表皮内に注入された発泡合成樹脂が縫い目を介して表面側に漏れ出すのを防止することができ、良好な外観を維持できる。
【００１７】
【発明の実施の形態】
以下、本発明を具体化した一実施形態を図１〜図３を参照にして説明する。
図１及び図２に示すように、ヘッドレスト１０は、凹状に湾曲した底部１１ａを備えるヘッドレスト本体１１とその底部１１ａから突出するインサートステー１２（以下、ステー１２という）とで構成されている。ヘッドレスト本体１１は、表皮１３及び該表皮１３内に充填された発泡合成樹脂１４とで構成されている。本実施形態におけるヘッドレスト１０は、開口部１５を有する袋状に形成された表皮１３にステー１２がセットされた後、表皮１３内に発泡合成樹脂１４が注入されることで得られる一体成形タイプのヘッドレストである。
【００１８】
表皮１３は、ヘッドレスト本体１１の底部を構成する底部表皮材１３ａ，１３ｂ、側部を構成する側部表皮材１３ｃ，１３ｄ及び上部を構成する上部表皮材１３ｅがそれらの端縁において縫い合わされることにより仕上げられる。そして、表皮１３内に金属棒材よりなるステー１２の基端部を挿入し、その挿入された状態で発泡合成樹脂１４が表皮１３内に充填されてヘッドレスト１０として完成される。
【００１９】
図３に示すように、表皮１３を構成する生地は、ヘッドレスト本体１１の表面に露出するファブリック等で構成される表皮層１６と、その表皮層１６の内側に一体的に形成され、表皮１３に弾力性及び柔軟性を持たせるための、例えばウレタンフォーム等で構成された中間層１７とを備えている。また、中間層１７の内側には、開口部１５から注入される発泡合成樹脂１４が表皮層１６側に浸透することを防止するための薄膜状のフィルム層１８が形成されている。
【００２０】
底部表皮材１３ａ，１３ｂ間の部分には凹状の湾曲部１９が形成されている。また、底部表皮材１３ａ，１３ｂ間には発泡合成樹脂１４を注入する際及びステー１２を表皮１３にセットする際に使用されるスリット状の開口部１５が形成されている。なお、開口部１５は図１に実線の矢印で示す幅で形成されている。また、底部表皮材１３ｂには、ステー１２が突出する孔１１ｂが形成されている。ステー１２は、その先端の脚部１２ａ側から開口部１５を介して表皮１３内に入れられ、その脚部１２ａが孔１１ｂから外側へ突出される。
【００２１】
表皮１３の幅方向（ヘッドレスト１０の左右方向）における両端部で、かつ湾曲部１９の底部２０近辺には四角枠状の縫い目２１が形成されている。この縫い目２１は、底部表皮材１３ａ，１３ｂ間の合わせ目と並行に形成された横縫い目部２１ａと、それらの横縫い目部２１ａ間を繋ぐ縦縫い目部２１ｂとで形成されている。そして、湾曲部１９の湾曲によって、表皮層１６のシワの原因となる圧縮力を受ける部分（以下、圧縮部２２という）に前記縫い目２１が形成されている。この縫い目２１は、底部表皮材１３ａ，１３ｂが縫い合わされるときに形成される。なお、本実施形態の縫い目２１は、本縫いにより形成されているが、縫い目２１は本縫いに限らず、環縫い、しつけ縫い等の他の縫い目を採用することもできる。
【００２２】
また、表皮１３の裏面において縫い目２１の部分には、注入される液状の発泡合成樹脂が縫い目２１を介して表面側に漏れ出すことを防止する封止処理としてのテープ２３が貼り付けられている。
【００２３】
上記実施形態によれば、以下のような効果を得ることができる。
（１）湾曲部１９における圧縮部２２には、縫い目２１が形成されている。このため、圧縮部２２において発生する圧縮力は、縫い目２１に集中される。従って、シワの発生が抑止される。特に、シワが発生し易い湾曲部１９の両端で、かつ開口部１５を挟んだ両側に縫い目２１が形成されているため、良好にシワの発生を抑止することができる。従って、ヘッドレスト１０の外観を損なうことがなく、商品価値の低下を防ぐことができる。しかも、底部表皮材１３ａ，１３ｂが他の側部表皮材１３ｃ等に対して張力が大きく変動することはなく、予期しないシワが生じたり、ヘッドレスト本体１１の形がくずれたりすることがない。
【００２４】
（２）縫い目２１が形成された表皮１３の裏面にテープ２３が貼り付けられている。このため、液状の発泡合成樹脂１４が注入された際、その発泡合成樹脂１４が縫い目２１を介して表面側に漏れ出すことを防止でき、外観の低下を未然に防ぐことができる。
【００２５】
（３）縫い目２１を形成する作業は、底部表皮材１３ａ，１３ｂ、側部表皮材１３ｃ，１３ｄ及び上部表皮材１３ｅを縫い合わせて表皮１３を縫製する一連の作業に容易に含ませることが可能である。従って、ヘッドレスト１０の製造作業が面倒になることはほとんどない。
【００２６】
（４）縫い目２１のうち、横縫い目部２１ａは、底部２０に沿って形成されている。圧縮部２２におけるシワは底部２０に沿うように発生するため、同じく底部２０に沿うように形成された横縫い目部２１ａにより効果的にシワが吸収され、シワの発生が抑止される。
【００２７】
（５）縫い目２１は、横縫い目部２１ａ及び縦縫い目部２１ｂにより四角枠状に形成されている。このため、不規則に縫い目が形成される場合に比べ、意匠性が高い。
【００２８】
なお、上記実施形態は以下のように変更してもよい。
○  上記実施形態では、湾曲部１９における圧縮部２２において四角枠状の縫い目２１を形成したが、図４に示すように底部２０に沿って幅方向（ヘッドレスト１０の左右方向）における一端から他端まで一直線状に縫い目２１を形成してもよい。この場合、一縫いで縫い目２１を形成することができるので、縫い目２１の形成が容易となる。また、縫い目２１は底部２０に沿うように形成されるため、シワを効果的に抑止することができる。また、図５に示すように、底部表皮材１３ａ，１３ｂの両端部に底辺を有する三角形状に縫い目２１を形成してもよい。或いは、前記実施形態において縦縫い目部２１ｂを省略してもよい。これらのように、圧縮部２２に縫い目２１が形成されるならばその形状は特に限定されない。
【００２９】
○  ヘッドレスト本体１１の底部１１ａ全体が凹状に湾曲したヘッドレスト１０ではなく、一部分において凹状に湾曲する底部１１ａを備えるヘッドレストに本発明を適用してもよい。この場合、上記実施形態と同じく湾曲部における圧縮部に縫い目を形成することでシワの発生を抑止することができる。
【００３０】
○  縫い目２１の封止処理としてテープ２３を貼り付けたが、コーティング剤を塗布して封止処理を施してもよい。
○  底部表皮材１３ａ，１３ｂにより表皮１３のうちヘッドレスト本体１１の底部１１ａを構成する部分を形成したが、一枚からなる底部表皮材であってもよい。
【００３１】
○  表皮１３は、表皮層１６、中間層１７及びフィルム層１８からなる３層構造に限らない。１層や３層以外の複数層で構成される表皮１３であってもよい。
【００３２】
【発明の効果】
以上詳述したように、本発明によれば、縫い目を形成することで表皮にシワが発生することを抑止できる。
【図面の簡単な説明】
【図１】上下が反転されたヘッドレストの斜視図。
【図２】図１の２−２線におけるヘッドレストの断面図。
【図３】底部表皮材の要部拡大図。
【図４】別の実施形態におけるヘッドレストの斜視図。
【図５】別の実施形態におけるへッドレストの斜視図。
【図６】従来のヘッドレストの斜視図。
【符号の説明】
１０…ヘッドレスト、１１…ヘッドレスト本体、１３…表皮、１４…発泡合成樹脂、１５…開口部、１９…湾曲部、２０…底部、２１…縫い目、２２…圧縮部、２３…テープ。
【図１】
2005007070.tif 000003
【図２】
2005007070.tif 000004
【図３】
2005007070.tif 000005
【図４】
2005007070.tif 000006
【図５】
2005007070.tif 000007
【図６】
2005007070.tif 000008